(57)【特許請求の範囲】
【請求項１】
蒸気タービン弁を駆動する蒸気タービン弁駆動装置であって、
前記蒸気タービン弁の開閉動作を行うピストンを収納し、当該ピストンを挟んで両側に作動油が充満する第１の室および第２の室を有するシリンダと、
前記第１の室と前記第２の室とを繋ぐ密閉された閉油圧回路を構成する油送系統であって、当該密閉された閉油圧回路内にて作動油の双方向の移動を可能とする流体ポンプを有する流体ポンプ油路と、非常時に当該密閉された閉油圧回路内にて電磁弁の開放により前記第１の室の作動油を前記第２の室に移動させる非常用油路とを含む、油送系統と
を具備することを特徴とする蒸気タービン弁駆動装置。
【請求項２】
前記蒸気タービン弁を閉鎖する方向のばね力を前記蒸気タービン弁へ付与するスプリング機構と、
前記蒸気タービン弁の弁位置を制御すべく前記油送系統に指令を送る制御装置と、
をさらに備え、
前記第１の室は、前記ピストンを挟んで前記スプリング機構による前記ばね力が前記ピストンに付与される側に位置し、
前記第２の室は、前記ピストンを挟んで前記第１の室と対向する側に位置し、
前記非常時には、前記制御装置による指令に基づいて、前記電磁弁を開放させることで前記非常用油路を開いた状態にし、前記スプリング機構からの前記ばね力により前記第１の室から前記第２の室に作動油を移動させて前記蒸気タービン弁の弁位置を閉位置に移動させることを特徴とする請求項１に記載の蒸気タービン弁駆動装置。
【請求項３】
前記油送系統は、前記流体ポンプをバイパスする流路として、流量を制限しつつ作動油を双方向に通過させるバイパス絞り流路を備えていることを特徴とする請求項１又は２に記載の蒸気タービン弁駆動装置。
【請求項４】
前記ピストンは、流量を制限しつつ作動油を双方向に通過させるピストン連通孔を備えていることを特徴とする請求項１又は２に記載の蒸気タービン弁駆動装置。
【請求項５】
前記非常用油路は、前記電磁弁を複数備えていることを特徴とする請求項１乃至４のいずれか１項に記載の蒸気タービン弁駆動装置。
【請求項６】
前記電磁弁は、複数の駆動用コイルを備えていることを特徴とする請求項１乃至５のいずれか１項に記載の蒸気タービン弁駆動装置。
【請求項７】
前記シリンダは、その底部に前記ピストンの閉鎖速度を低下させるダッシュポット機構を備えていることを特徴とする請求項１乃至６のいずれか１項に記載の蒸気タービン弁駆動装置。
【請求項８】
前記シリンダもしくは前記油送系統に堆積する空気の除去を可能にする機構を更に具備することを特徴とする請求項１乃至７のいずれか１項に記載の蒸気タービン弁駆動装置。
【請求項９】
前記シリンダ内の作動油に熱を与えるヒータを更に具備することを特徴とする請求項１乃至８のいずれか１項に記載の蒸気タービン弁駆動装置。
【請求項１０】
前記油送系統は、前記流体ポンプをバイパスする２つの流路として、流量を制限しつつ作動油を一方向に通過させる第１のバイパス絞り流路と、流量を制限しつつ作動油を前記第１のバイパス絞り流路とは逆の方向に通過させる第２のバイパス絞り流路とを備えていることを特徴とする請求項１、２、５乃至９のいずれか１項に記載の蒸気タービン弁駆動装置。
【発明の詳細な説明】
【技術分野】
【０００１】
本発明の実施形態は、蒸気タービン弁駆動装置に関する。
【背景技術】
【０００２】
一般に、汽力タービン発電施設においては、蒸気タービンの回転数や出力の制御は、当該蒸気タービンへ流入する駆動用蒸気の流量を調整する各種の蒸気タービン弁（蒸気加減弁や蒸気止め弁など）の開度を各種の蒸気タービン弁駆動装置で制御することによって行われる。汽力タービン発電施設が異常現象もしくは故障の他などの現象に陥った際には、事故を未然に防止するため或いは事故による損傷を最小限に抑えるために、各種の蒸気タービン弁駆動装置により各種の蒸気タービン弁を急閉止・全閉させ、駆動用蒸気の蒸気タービンへの流入を遮断するようにしている。
【０００３】
蒸気タービン弁駆動装置は、油圧系統を備え、蒸気タービン弁を開閉するピストンを収納したシリンダと、位置制御信号により当該シリンダ内へ作動油を導入・排油する電磁弁と、緊急信号により当該シリンダ内の作動油を急速に廃油する電磁弁とを備えている。各種弁駆動装置の作動油の導入・排油は、高圧な流体ポンプを有する１つの集油装置から各種弁駆動装置へ配管を通して行われる。
【０００４】
一方で、上記集油装置を取り払い、蒸気タービン弁毎に油タンクを設けることによって建設コストの低減を図った蒸気タービン弁駆動装置が知られている（例えば、特許文献１）。この蒸気タービン弁駆動装置は、蒸気タービン弁毎にそれぞれ独立した流体ポンプ、モータ、および油タンクを油送系統に備え、流体ポンプを駆動するモータを制御することによりシリンダ位置を制御し、モータに連結されたギアを介してボールねじを回転させることによりその移動量で蒸気タービン弁の位置制御を行うものである。
【先行技術文献】
【特許文献】
【０００５】
【特許文献１】特開平８−１７０５０３号公報
【発明の概要】
【発明が解決しようとする課題】
【０００６】
しかしながら、上記蒸気タービン弁駆動装置は、油を貯えるリザーバ（油タンク）を有することから、油漏れに対する処置とタンク内の気体及び湿気の除去が必要となるばかりか、装置全体が大型化・重量化する。
【０００７】
さらに、上記蒸気タービン弁駆動装置では、リセット動作の際にディスクダンプ弁の上部室と下部室の双方に作動油が流入するため、ディスクダンプ弁の両側の圧力バランスが不安定になり、ディスクダンプ弁がチャタリングを起こす可能性がある。そのため、安定したリセット動作を行うことが難しい。この点について、図１２〜図１５を参照して、よりわかりやすく説明する。
【０００８】
図１２に示されるように、蒸気タービン弁駆動装置においては、流体ポンプ２ＰＵがモータ２Ｍにより駆動され、油タンク２Ｔに貯えられた作動油の一部が流体ポンプ２ＰＵによりシリンダ２ＣＹ側へ供給される。具体的には、流体ポンプ２ＰＵからの作動油は、シリンダ２ＣＹの制御油ポート２ＣＰに流れ込み、ポンプ吐出圧力に応じてピストン２ＰＩを押し上げ且つディスクダンプ弁２Ｄを押下げるとともに、励磁されたソレノイド弁２ＳＶを通じて導入口２ＤＤに流れ込み、スプリング２ＤＳのばね力と共にディスクダンプ弁２Ｄを押し上げる。ディスクダンプ弁２Ｄの上部室の圧力（上部圧）が下部室の圧力（下部圧）よりも大きければ、ディスクダンプ弁２Ｄは開き、ドレンポート２ＤＰから作動油が排出され、油タンク２Ｔに回収される。また、ディスクダンプ弁２Ｄが開くことにより、ディスクダンプ弁２Ｄの上部圧が降下する。下部圧が上部圧よりも大きくなれば、ディスクダンプ弁２Ｄは閉まり、ディスクダンプ弁２Ｄの上部圧は上昇する。以降、同様な動作を繰り返す。
【０００９】
＜ポンプ停止時（トリップ状態）＞
図１３に示されるように、蒸気タービン弁の閉止の際には、流体ポンプ２ＰＵが停止され、ソレノイド弁２ＳＶが無励磁にされ、トリップ状態に対応した油路が形成される。このとき、ディスクダンプ弁２Ｄの上部圧は下がり、ディスクダンプ弁２Ｄは閉の状態となる。また、ディスクダンプ弁２Ｄの下部圧はスプリング２ＤＳのばね力およびタンクヘッド圧に相当するが、タンクヘッド圧はごくわずかなため、ディスクダンプ弁２Ｄは着座の状態となり、ディスクダンプ弁２Ｄの下部室の作動油が導入口２ＤＤからソレノイド弁２ＳＶを通じて油タンク２Ｔに回収される。
【００１０】
＜ポンプ運転時（トリップ状態）＞
図１４に示されるように、蒸気タービン弁の駆動を再開する際には、流体ポンプ２ＰＵが起動される。このとき、ソレノイド弁２ＳＶは無励磁の状態にあり、ディスクダンプ弁２Ｄは着座したまま、ポンプ圧力が上昇する。ディスクダンプ弁２Ｄの上部圧が下部圧に打ち勝つと、ディスクダンプ弁２Ｄが開く。このとき、制御油ポート２ＣＰがドレンポート２ＤＰと繋がるため、ポンプ圧力は下がる。ポンプ圧力が下がり、ディスクダンプ弁２Ｄの下部圧が上部圧よりも大きくなると、ディスクダンプ弁２Ｄが閉まる。以降、同様な動作を繰返す。
【００１１】
＜ポンプ運転時（リセット時）＞
図１５に示されるように、トリップ状態からリセット状態に移行する際、ソレノイド弁２ＳＶが励磁され、リセット状態に対応した油路が形成される。流体ポンプ２ＰＵは運転中の状態にあり、制御油ポート２ＣＰに作動油が供給される一方で、ディスクダンプ弁２Ｄの下部室の導入口２ＤＤにも作動油が供給される。導入口２ＤＤ側の油路にはソレノイド弁２ＳＶがあるため、管路抵抗は制御油ポート２ＣＰ側の油路よりも導入口２ＤＤ側の油路の方が大きく、制御油ポート２ＣＰ側の方に制御油が一瞬早く流入する。すると、ディスクダンプ弁２Ｄが開き、ディスクダンプ弁２Ｄの上部室がドレンポート２ＤＰに繋がる。一方、導入口２ＤＤへは制御油が一瞬遅れて流入し、ディスクダンプ弁２Ｄの下部圧が上昇する。また、ディスクダンプ弁２Ｄの下部室の方が上部室よりも面積が大きいため、下部室の圧力の上昇は上部室と比べて遅れがちとなる。その結果、ディスクダンプ弁２Ｄの上部室と下部室との圧力バランスが不安定になり、ディスクダンプ弁２Ｄがチャタリングを起こす可能性がある。そのため、安定したリセット動作を行うことが困難となる。
【００１２】
本発明は上記実情に鑑みてなされたものであり、簡易な構成で安定した動作を実現できる蒸気タービン弁駆動装置を提供することを目的とする。
【課題を解決するための手段】
【００１３】
実施形態によれば、蒸気タービン弁を駆動する蒸気タービン弁駆動装置であって、前記蒸気タービン弁の開閉動作を行うピストンを収納し、当該ピストンを挟んで両側に作動油が充満する第１の室および第２の室を有するシリンダと、前記第１の室と前記第２の室とを繋ぐ密閉された閉油圧回路を構成する油送系統であって、当該密閉された閉油圧回路内にて作動油の双方向の移動を可能とする流体ポンプを有する流体ポンプ油路と、非常時に当該密閉された閉油圧回路内にて電磁弁の開放により前記第１の室の作動油を前記第２の室に移動させる非常用油路とを含む、油送系統とを具備することを特徴とする蒸気タービン弁駆動装置が提供される。
【発明の効果】
【００１４】
本発明によれば、簡易な構成で安定した動作を実現できる蒸気タービン弁駆動装置を提供することができる。
【図面の簡単な説明】
【００１５】
【図１】第１の実施形態に係る蒸気タービン弁駆動装置の構成の例を示す図。
【図２】同実施形態に係る蒸気タービン弁駆動装置の別の構成の例を示す図。
【図３】第２の実施形態に係る蒸気タービン弁駆動装置の構成の例を示す図。
【図４】第３の実施形態に係る蒸気タービン弁駆動装置の構成の例を示す図。
【図５】第４の実施形態に係る蒸気タービン弁駆動装置の構成の例を示す図。
【図６】第５の実施形態に係る蒸気タービン弁駆動装置に備えられるシリンダの一部の構成の例を示す図。
【図７】第６の実施形態に係る蒸気タービン弁駆動装置の構成の例を示す図。
【図８】第７の実施形態に係る蒸気タービン弁駆動装置の構成の例を示す図。
【図９】第８の実施形態に係る蒸気タービン弁駆動装置の構成の例を示す図。
【図１０】第９の実施形態に係る蒸気タービン弁駆動装置の構成の例を示す図。
【図１１】第１０の実施形態に係る蒸気タービン弁駆動装置の構成の例を示す図。
【図１２】従来の蒸気タービン弁駆動装置の動作の一部を説明するための図。
【図１３】従来の蒸気タービン弁駆動装置の動作の一部を説明するための図。
【図１４】従来の蒸気タービン弁駆動装置の動作の一部を説明するための図。
【図１５】従来の蒸気タービン弁駆動装置の動作の一部を説明するための図。
【発明を実施するための形態】
【００１６】
以下、実施の形態について、図面を参照して説明する。
【００１７】
（第１の実施形態）
図１を参照して、第１の実施形態について説明する。
【００１８】
図１は、第１の実施形態に係る蒸気タービン弁駆動装置の構成の例を示す図である。
【００１９】
蒸気タービン弁１は、例えば蒸気止め弁であり、起動時等の蒸気流量を開閉動作により制御する。この蒸気タービン弁１は、弁体（弁ディスク）１ａ、弁座１ｂ、バックシート１ｃ等を備えており、弁体１ａが取り付けられた弁棒２の弁棒止め部２ａがバックシート１ｃに接触して拘束される位置にあるときに全開となり、弁体１ａが弁座１ｂに接触して拘束される位置にあるときに全閉となる。
【００２０】
蒸気タービン弁１を駆動する蒸気タービン弁駆動装置は、スプリング機構４、シリンダ５、開度検出器６、油送系統７、急速作動電磁弁８、流体ポンプ９、モータ１０、制御装置１１等を備えている。
【００２１】
スプリング機構４は、スプリングハウジング４ａに収納され、蒸気タービン弁１の閉方向に付勢するようにピストンロッド５ｄに取り付けられている。ピストンロッド５ｄは、カップリング３介して弁棒２に接続されている。
【００２２】
シリンダ５は、ピストン５ｃとこれに取り付けられるピストンロッド５ｄの一部とを収納し、ピストン５ｃを挟んで両側に作動油が充満するシリンダ下部室５ａおよびシリンダ上部室５ｂを有する。
【００２３】
開度検出器６は、蒸気タービン弁１の弁開度を検出し、検出した弁開度を示す弁開度信号を出力する。この弁開度信号は制御装置１１へ送られる。図１の例では、ピストンロッド５ｄをシリンダ５から下方に貫通させ、貫通したピストンロッド５ｄの下端部に開度検出器６を設けた場合が例示されているが、この配置例に限られるものではない。例えば、開度検出器６の設置の変形例として、弁棒２とピストンロッド５ｄとを直結するカップリング３の間にプレート取り付け、当該プレートに検出用ロッドを取り付け、当該検出用ロッドに開度検出器６を取り付けるようにしてもよい。また、スプリングハウジング４ａ内のスプリング受けに検出用ロッドを設け、当該検出用ロッドに開度検出器を設けるようにしてもよい。上記のいずれの配置例の場合も、蒸気タービン弁１の弁開度を正確に検出することができる。
【００２４】
油送系統７は、バイパス絞り流路７ａ、非常用油路７ｂ、流体ポンプ油路７ｃを含み、シリンダ下部室５ａとシリンダ上部室５ｂとを繋ぐ密閉された閉油圧回路（閉回路油圧回路）を構成しており、当該油圧回路内にて作動油の双方向の移動を可能とする流体ポンプ９を備えている。流体ポンプ９が設置される流体ポンプ油路７ｃは、一方はシリンダ下部室５ａに通じており、もう一方はシリンダ上部室５ｂに通じている。作動油としては、例えば、直接加熱による劣化が僅少で毒性が低く、耐酸化性が高く、耐圧性に優れる難燃性作動油である脂肪酸エステル油を使用する。
【００２５】
バイパス絞り流路７ａは、流体ポンプ９が設置された流体ポンプ油路７ｃをバイパスし、流量を制限しつつ作動油を双方向に通過させるオリフィスを含む。例えば蒸気タービン弁１を開弁している状態ではピストン５ｃを蒸気タービン弁１の開方向に加勢する一定流量の作動油の流れを要するが、流体ポンプ９を駆動することによりバイパス絞り油路７ａを通じて一定流量の作動油の流れを簡単に形成することができる。また、流量指令の変化が少なければ流体ポンプ９を一定方向に一定速度で回転させ続けることが可能となるため、流体ポンプ９の安定した吐出圧力を維持することができる。
【００２６】
また、シリンダ５の表面積は一般に大きいので拡散放熱量が大きいものの、通常運転中の蒸気タービン弁１は頻繁に大きな開閉動作を行わないのでモータ１０の消費動力だけでは作動油の温度を適正運転温度に維持することが難しい。そこで、常時一定の作動油が循環するように流体ポンプ９からピストン５ｃまでの間にシリンダ上部室５ｂとシリンダ下部室５ａとを接続するバイパス絞り油路を設けることにより、作動油の温度を適正運転温度にすることができる。バイパス絞り油路の具体例としては、上述したオリフィスを有するバイパス絞り油路７ａが一例として挙げられるが、代わりに図２に示されるように、ピストン５ｃに流量を制限しつつ作動油を双方向に通過させる連通孔７ｄ（オリフィス）を設けるようにしてもよい。
【００２７】
一方、非常用油路７ｂには、急速作動電磁弁８が設置される。この急速作動電磁弁８は、非常時（例えば蒸気タービンの異常発生時）に、蒸気タービン弁１を全閉させる方向に作動油を急速に移動させる電磁弁である。急速作動電磁弁８は、蒸気タービン１の通常運転中は、常時、励磁状態にされている。一方、蒸気タービン１の異常発生時には、図示しないタービン保護回路装置から出力される電気信号により、急速作動電磁弁８は無励磁状態にされる。
【００２８】
常時励磁状態の急速作動電磁弁８が無励磁状態になると、シリンダ下部室５ａとシリンダ上部室５ｂとの圧力差とスプリング機構４の閉鎖力の助勢により、作動油が閉方向側に急速に移動してピストン５ｃを押し下げる。このときシリンダ５やピストン５ｃの破損を防止するためには、ピストン５ｃが全閉位置に移動する際に、閉鎖速度を緩慢にすることが望ましい。そこで、全閉位置の手前で急速作動電磁弁８を励磁状態に切り替えることにより、作動油の移動にブレーキをかけ、シリンダの閉鎖速度を低下させる。その後、再び急速作動電磁弁８を無励磁状態に印加する。これにより、シリンダ５やピストン５ｃの破損させることなく、蒸気タービン弁１を安全かつ確実に全閉させることができる。
【００２９】
流体ポンプ９は、駆動軸の回転方向を変えることで流れ方向を反転することができる可逆回転式容積型ポンプであり、例えばギアポンプやアキシャルピストンポンプが使用される。この流体ポンプ９は、回転方向を切り替えることによって蒸気タービン弁１の開弁・閉弁の動作を切り替えることができ、回転速度を変えることによって開弁・閉弁の速度を調整することができる。
【００３０】
モータ１０は、流体ポンプ９を駆動するものであり、モータ１０の駆動軸と流体ポンプ９の駆動軸とはカップリングで直結されている。このモータ１０は、駆動軸の回転方向や回転速度を変えることにより流体ポンプ９の吐出方向や吐出力を変えることができる。モータ１０は、可逆回転式容積型ポンプである流体ポンプ９を通じて蒸気タービン弁１の弁位置制御を行うため、インバータモータもしくはサーボモータであることが望ましい。なお、モータ１０のトルク制御により、流体ポンプ９のポンプ吐出圧力を可変制御でき、サージ圧も吸収できるため、リリーフ弁（安全弁）は不要である。
【００３１】
なお、上述した流体ポンプ９およびモータ１０の組合せは、予備の分を含めて複数、並列に設置するようにしてもよい。このようにすると、通常動作している流体ポンプ９またはモータ１０が故障した場合に、予備の流体ポンプ９およびモータ１０の組合せを起動させれば、蒸気タービン弁１の運転を継続して行うことができる。
【００３２】
制御装置１１は、プラント内の各種の検出信号を取り込むとともに、蒸気タービン弁１の弁位置を制御する制御信号をモータ１０へ送る。例えば、制御装置１１は、開度検出器６により検出される蒸気タービン弁１の弁開度を示す弁開度信号を取り込み、この弁開度信号に示される弁開度から弁位置を求め、この弁位置と目標とする弁位置と偏差が無くなるように蒸気タービン弁１の弁位置を制御する信号をモータ１０へ送る。また、制御装置１１は、非常時には、急速作動電磁弁８を通じて蒸気タービン弁１を全閉させる方向に作動油を急速に移動させることができる。
【００３３】
このような構成において、蒸気タービン弁１を開弁させる場合、制御装置１１からモータ１０へ弁開指令を送ることにより、蒸気タービン弁１の閉方向に付勢するスプリング機構４のばね力および蒸気圧力に打ち勝つように流体ポンプ９によりシリンダ上部室５ｂからシリンダ下部室５ａへ作動油を導入させ、ピストン５ｃを上方に移動させる。一方、蒸気タービン弁１を閉弁させる場合は、制御装置１１からモータ１０へ弁閉指令を送ることにより、流体ポンプ９を逆回転させることでシリンダ下部室５ａからシリンダ上部室５ｂへ作動油を導入させ、ピストン５ｃを下方に移動させる。
【００３４】
また、非常時、例えばプラントが異常状態に陥った際には、蒸気流路を急速に遮断する必要がある。その場合、急速作動電磁弁８によりシリンダ下部室５ａの作動油をシリンダ上部室５ｂに急速に導入させ、ピストン５ｃを下方に急速に移動させることにより、蒸気タービン弁１を急閉止させる。その後、プラントの異常状態が解除されたら、制御装置１１から急速作動電磁弁８へ弁開許可指令を送ることにより、リセット動作が行われ、蒸気タービン弁１はスタンバイ状態になる。リセット動作は、例えば急速作動電磁弁８を励磁状態に印加することで実現される。
【００３５】
前述したように、シリンダ５はピストン５ｃを挟んで両側に作動油が充満するシリンダ下部室５ａおよびシリンダ上部室５ｂを有しており、また、油送系統７はシリンダ下部室５ａとシリンダ上部室５ｂとを繋ぐ密閉された閉油圧回路を構成している。このような構成において、制御装置１１の制御のもと、例えばモータ１０により駆動される流体ポンプ９のポンプ吐出圧力で油圧回路内の作動油がシリンダ下部室５ａとシリンダ上部室５ｂとの間で移動することにより、シリンダ５内のピストン５ｃが全開位置から全閉位置までの蒸気タービン弁１の駆動範囲内で移動する。ピストン５ｃの移動によりシリンダ下部室５ａの容積とシリンダ上部室５ｂの容積は共に変化するが、シリンダ下部室５ａとシリンダ上部室５ｂとを合わせた容積は、ピストンロッド５ｄの一部およびピストン５ｃを収納するシリンダ５のシリンダ容積に相当し、不変である。
【００３６】
本実施形態によれば、作動油を回収したり供給したりするためにリザーバ（油タンク）を別途設置せずとも、油送系統７を通じてピストン５ｃの安定した動作を実現することができ、蒸気タービン弁１の安定した開閉動作を実現することができる。また、リセット動作を行う場合においても同様、安定したリセット動作を実現することができる。また、密閉された閉油圧回路（閉回路油圧回路）が形成されているため、作動油の酸化劣化や水分の混入による白濁に対し高い耐劣化性を発揮させることができる。また、密閉された閉油圧回路（閉回路油圧回路）が形成されているため、例えば装置を設置する際に、傾けた姿勢にしても作動油が漏洩することがない。
【００３７】
なお、図１の例では、開度検出器６が１台だけの場合が例示されているが、これに限定されるものではない。開度検出器６は蒸気タービン弁１の弁開度を検出するために重要な機器である。このため、弁開度検出の信頼性や精度を高めるために複数の開度検出器６を並列もしくは直列に配置してもよい。この場合、各開度検出器６からの開度信号はそれぞれ制御装置１１へ伝達される。例えば２台の開度検出器６が設けられる場合、制御装置１１は各々の開度信号のうち低い値を示す方、あるいは２つ値の平均値を、弁位置を示すものとして採用する。また、例えば３台の開度検出器６が設けられる場合、制御装置１１は各々の開度信号のうち中間の値を示す方、あるいは３つ値の平均値を、弁位置を示すものとして採用する。
【００３８】
また、プラント内に同じ開度制御を必要とする複数の蒸気タービン弁１がある場合、これらをそれぞれ駆動する複数の蒸気タービン弁駆動装置は、１つの制御装置１１を共有化して使用することができる。このようにすると、製作コストを低減できるだけでなく、制御の安定化を図ることができ、信頼性を向上させることができる。
【００３９】
（第２の実施形態）  
図３は、第２の実施形態に係る蒸気タービン弁駆動装置の構成の例を示す図である。なお、以下では、図１と共通する要素には同一の符号を付し、重複する説明を省略する。
【００４０】
第２の実施形態が第１の実施形態と異なる点は、急速作動電磁弁８を複数個設けた点である。前述した第１の実施形態（図１参照）では、急速作動電磁弁８が１個だけの場合を例示したが、この第２の実施形態では、予備の急速作動電磁弁を含む複数個の急速作動電磁弁８を設置している。具体的には、急速作動電磁弁８を備えた非常用油路７ｂが複数本、例えば２本が並列に配置された構成となっている。
【００４１】
タービン保護回路装置から複数個の急速作動電磁弁８へ電気信号を伝える電気信号線の結線方式としては、２種類が挙げられる。一つは並列結線方式であり、タービン保護回路装置からの電気信号が複数個の急速作動電磁弁８に同時に印加されるように、複数個の急速作動電磁弁８を電気信号線で並列に接続する方式である。もう一つは直列結線方式であり、タービン保護回路装置からの電気信号が複数個の急速作動電磁弁８に順次印加されるように、複数個の急速作動電磁弁８を電気信号線で直列に接続する方式である。
【００４２】
並列結線方式では、複数個の急速作動電磁弁８に同時に電気信号を印加するようにしてもよいし、あるいは交互に電気信号を印加するようにしてもよいし、あるいは互いにわずかに時間差を設けて交互に印加するようにしてもよい。また、予め決めておいた１台目の急速作動電磁弁８のみに電気信号を印加するようにしてもよい。ただし、電気信号が印加されても動作しない急速作動電磁弁８がある場合、残りの急速作動電磁弁８に電気信号を印加するようにする。３台以上の急速作動電磁弁８がある形態では、故障等の不具合発生時に電気信号を印加する急速作動電磁弁８の順番を予め決めておいてもよい。
【００４３】
直列結線方式では、複数個の急速作動電磁弁８のそれぞれに順次電気信号が印加される構成であるため、例えば１台の急速作動電磁弁８が故障により動作しなくても、残りの急速作動電磁弁８が動作する。
【００４４】
また、急速作動電磁弁８に内蔵される駆動用コイルを複数個、例えば２個としてもよい。このように２個を内蔵する場合は、２個の駆動用コイルを直列に接続して直列結線にしてもよいし、個々の駆動用コイルに同一信号を同時に印加できるよう並列結線としてもよい。並列結線の場合は、複数個の駆動用コイルに同時に電気信号を印加するようにしてもよいし、あるいは交互に電気信号を印加するようにしてもよいし、あるいは互いにわずかに時間差を設けて交互に印加するようにしてもよい。また、予め決めておいた１つ目の駆動用コイルのみに電気信号を印加するようにしてもよい。ただし、電気信号が印加されても動作しない駆動用コイルがある場合、残りの駆動用コイルに電気信号を印加するようにする。
【００４５】
さらに、駆動用コイルの結線に関しては、通常運転中は常時励磁であることから、印加電圧値（または電流値）を１００％とした場合、２つの駆動用コイルにそれぞれ例えば５０％等分割した印加電圧値（または電流値）を与えることで、駆動用コイルの長寿命化を図ることができる。
【００４６】
本実施形態によれば、１つの急速作動電磁弁８もしくは駆動用コイルが故障しても、残りの急速作動電磁弁８もしくは駆動用コイルが動作するため、全閉動作などの信頼性を一層高めることができる。
【００４７】
（第３の実施形態）  
図４は、第３の実施形態に係る蒸気タービン弁駆動装置の構成の例を示す図である。なお、以下では、図１と共通する要素には同一の符号を付し、重複する説明を省略する。
【００４８】
第３の実施形態が第１の実施形態と異なる点は、シリンダ５内にピストン５ｃの閉鎖速度を制限させるダッシュポット機構１２を設けた点である。また、ダッシュポット機構１２の設置に伴い、開度検出器６の配置場所を変更している。具体的には、弁棒２とピストンロッド５ｄとを直結するカップリング３の間にプレート取り付け、当該プレートに検出用ロッドを取り付け、当該検出用ロッドに開度検出器６を取り付けている。
【００４９】
ダッシュポット機構１２は、シリンダ５内の底部に配置されており、蒸気タービン弁１の位置制御を行うピストンロッド５ｄの端部と直結するダッシュポットピストン１２ａと、このダッシュポットピストン１２ａの進入を受け入れるダッシュポットピストン室１２ｂとを含む。
【００５０】
ダッシュポットピストン１２ａが、全閉位置手前でダッシュポットピストン室１２ｂに進入すると、ダッシュポットピストン１２ａの最小経路断面積（ダッシュポットピストン１２ａの外周側の作動油が充満する空間の断面積）は小さくなる。すなわち、ダッシュポットピストン１２ａとシリンダ５との間隙の断面積から、ダッシュポットピストン１２ａとダッシュポットピストン室１２ｂとの間隙の断面積へと変わる。その際、ダッシュポットピストン室１２ｂ内の作動油の油圧によりダッシュポットピストン１２ａの移動に対する抵抗力が増大し、ピストン５ｃの閉鎖速度が低下する。
【００５１】
なお、ピストン５ｃの閉鎖速度を調整するために、例えばダッシュポットピストン１２ａに連通孔（オリフィス）を設けたり、ダッシュポットピストン１２ａの口径を変えたり、ダッシュポットピストン室１２ｂの口径を変えたり、あるいはダッシュポットピストン室１２ｂを構成する部材の一部に、ダッシュポットピストン室１２ｂ内の作動油をダッシュポットピストン室１２ｂの上側へ逃がす油路を設けたりしてもよい。
【００５２】
また、ピストン５ｃの閉鎖速度の変化を緩慢にするために、例えばダッシュポットピストン室１２ｂの口径が下方に向かうにつれて段階的にもしくは連続的に小さくなるように構成してもよい。
【００５３】
本実施形態によれば、シリンダ５やピストン５ｃの破損させることなく、蒸気タービン弁１を安全かつ確実に全閉させることができる。また、ダッシュポット機構１２により全閉時にピストン５ｃの閉鎖速度を緩慢にすることができるため、前述したように全閉位置の手前で急速作動電磁弁８を励磁状態に切り替えるような操作を行う必要がない。
【００５４】
（第４の実施形態）
図５は、第４の実施形態に係る蒸気タービン弁駆動装置の構成の例を示す図である。なお、以下では、図１と共通する要素には同一の符号を付し、重複する説明を省略する。
【００５５】
第４の実施形態が第１の実施形態と異なる点は、前記蒸気タービン弁が所定の位置にあるときの状態を検出するリミットスイッチ装置１３を設けた点である。なお、図５の例では、開度検出器６が図示されていないが、図１乃至図４の構成のように開度検出器６を設けてもよい。
【００５６】
リミットスイッチ装置１３は、蒸気タービン弁１が全閉位置にあるときの状態を検出する全閉位置検出用リミットスイッチ１３ａと、蒸気タービン弁１が全開位置にあるときの状態を検出する全開位置検出用リミットスイッチ１３ｂとを備えるほか、蒸気タービン弁１が特定の位置にあるときの状態を検出する特定位置検出用リミットスイッチ１３ｃとを含む。特定位置検出用リミットスイッチ１３ｃは、例えば蒸気タービン弁１を繰り返し動作させる試験・検査等において、弁棒止め部２ａとその摺動部にスケールが堆積したり蒸気タービン弁１がスティックしたりすることを防ぐ観点から、全開に至る前の所定の位置を検出するために使用される。
【００５７】
また、リミットスイッチ装置１３は、全閉位置検出用リミットスイッチ１３ａ、全開位置検出用リミットスイッチ１３ｂ、および特定位置検出用リミットスイッチ１３ｃがそれぞれ対応する位置を検出するために使用する全閉位置検出用部材１３ｄ、全開位置検出用部材１３ｅ、および特定位置検出用部材１３ｆをさらに含む。
【００５８】
具体的には、ピストンロッド５ｄをシリンダ５から下方に貫通させ、貫通したピストンロッド５ｄの下端部に、全閉位置検出用リミットスイッチ１３ａ、全開位置検出用リミットスイッチ１３ｂ、および特定位置検出用リミットスイッチ１３ｃがそれぞれ対応する位置を検出できるように上述の全閉位置検出用部材１３ｄ、全開位置検出用部材１３ｅ、および特定位置検出用部材１３ｆを配置する。
【００５９】
全閉位置検出用リミットスイッチ１３ａは、全閉位置検出用部材１３ｄの上下移動に応じてオンオフし、全閉位置検出時にオン状態となり、全閉位置の検出を示す検出信号を図示しないシーケンス保護装置や制御装置１１へ送る。
【００６０】
全開位置検出用リミットスイッチ１３ｂは、全開位置検出用部材１３ｅの上下移動に応じてオンオフし、全開位置検出時にオン状態となり、全開位置の検出を示す検出信号を図示しないシーケンス保護装置や制御装置１１へ送る。
【００６１】
特定位置検出用リミットスイッチ１３ｃは、特定位置検出用部材１３ｆの上下移動に応じてオンオフし、特定位置検出時にオン状態となり、特定位置の検出を示す検出信号を図示しないシーケンス保護装置や制御装置１１へ送る。
【００６２】
制御装置１１は、全閉位置検出用リミットスイッチ１３ａ、全開位置検出用リミットスイッチ１３ｂ、および特定位置検出用リミットスイッチ１３ｃから送られる検出信号に応じて、蒸気タービン弁１の弁位置を認識したり、蒸気タービン弁１の弁位置を制御する制御信号をモータ１０へ送ったりする。例えば、制御装置１１は、例えば蒸気タービン弁１を繰り返し動作させる試験・検査等において、特定位置検出用リミットスイッチ１３ｃから検出信号が送られてきた時には、それ以上の開度の増大を抑止する。これにより、弁棒止め部２ａとその摺動部にスケールが堆積したり蒸気タービン弁１がスティックしたりすることを防ぐことができる。また、制御装置１１は、非常時に、急速作動電磁弁８を通じて蒸気タービン弁１を全閉させる方向に作動油を急速に移動させ、全閉位置検出用リミットスイッチ１３ａから検出信号が送られてきた時には、蒸気タービン弁１が全閉位置に達したことを認識することができる。
【００６３】
なお、全閉位置検出用リミットスイッチ１３ａ、全開位置検出用リミットスイッチ１３ｂ、および特定位置検出用リミットスイッチ１３ｃのほかに、複数の弁位置を検出するために複数のリミットスイッチを設けてもよい。このようにすると、制御装置１１は、蒸気タービン弁１の複数の状態をより詳細に認識することができ、より精度の高い制御を行うことができる。
【００６４】
本実施形態によれば、リミットスイッチ１３を設けることにより、蒸気タービン弁１の各種の状態を把握することができるので、蒸気タービン弁１を状態に応じて適切な制御を行うことができる。
【００６５】
（第５の実施形態）
図６は、第５の実施形態に係る蒸気タービン弁駆動装置に備えられるシリンダの一部の構成の例を示す図である。なお、以下では、図１と共通する要素には同一の符号を付し、重複する説明を省略する。
【００６６】
第５の実施形態が第１の実施形態と異なる点は、シリンダ５もしくは油送系統７に堆積する空気の除去を可能にする機構を設けた点である。
【００６７】
蒸気タービン弁駆動装置に作動油を初充填する際にはシリンダ５の最上位置部に空気溜まりが生じる可能性がある。また、経年的な作動油のリークにより油圧回路内の作動油量が減少するにつれ、油圧回路内の空気はピストン５ｃの繰返動作および時間経過により油路７ａ，７ｃあるいはシリンダ５とピストン５ｃとの間隙からシリンダ５の最上位置部に空気溜まりとして堆積する可能性がある。このような空気溜まりを除去できるようにするためには、例えばシリンダ５（もしくは油送系統７）の最上位置部に図６（ａ）に示す機構、もしくは図６（ｂ）に示す機構を設ける。
【００６８】
図６（ａ）は、シリンダ５の最上位置部に、プラグ止めピン３０をプラグ座３３の開口部に挿入してＯ-リング３１を介してボルト３４で固定した機構を設ける例を示している。Ｏ-リング３１を設けることにより、プラグ止めピン３０とプラグ座３３の間から作動油が漏洩することを防止することができる。
【００６９】
このような機構において、蒸気タービン弁駆動装置に作動油を初充填する際には、プラグ止めピン３０を固定しているボルト３４を外し、プラグ止めピン３０を引き抜き、作動油を充填し、プラグ止めピン３０を再挿入する。これにより、プラグ座３３とプラグ止めピン３０の間隙から油圧回路内の残留空気を短時間で簡単に除去できる。また、ピストン５ｃを繰返し駆動した後、定期的に上記と同様の作業を行うことにより、油圧回路内に堆積した残留空気を短時間で簡単に除去することができる。
【００７０】
一方、図６（ｂ）のように、Ｏ-リング３１の代わりにガスケット３２を設けるようにしてもよい。この場合も、Ｏ-リング３１の場合と同様、プラグ止めピン３０とプラグ座３３の間から作動油が漏洩することを防止することができるとともに、図６（ａ）の機構と同様の効果が得られる。
【００７１】
また、上述した機構に加えて、ピストン５ｃに対して図２で説明した連通孔７ｄ（オリフィス）を設けるようにしてもよい。このようにすると、ピストン５ｃの下側に集まった気泡を上側に容易に逃がすことができ、シリンダ５最上位部へ気泡を容易に集めることができる。
【００７２】
また、上述した機構に加えて、シリンダ５や油送系統７の最上位値部に、空気抜き用の配管を取り付け、その先端をプラグ止めした機構を設けてもよい。このようにすれば、この配管を通じて作動油の充填および空気抜きの両方を容易に行える。
【００７３】
本実施形態によれば、油圧回路内の残留空気を短時間でかつ簡単に除去することができる。
【００７４】
（第６の実施形態）  
図７は、第６の実施形態に係る蒸気タービン弁駆動装置の構成の例を示す図である。なお、以下では、図１と共通する要素には同一の符号を付し、重複する説明を省略する。
【００７５】
第６の実施形態が第１の実施形態と異なる点は、シリンダ５内の作動油に熱を与えるヒータ２０を設けた点と、ヒータ２０の熱を間接的にシリンダ５内の作動油に伝えるヒーティング室２１を設けた点である。
【００７６】
寒冷地に設置したプラントの起動および運転に際しては、ヒーティングにより作動油の粘度が十分に低下する使用温度まで温度上昇させる必要があるが、バイパス絞り油路７ａにより常時流れを形成でき、流体ポンプ９で常に一定の流量を吐出できることから、流体ポンプ９で作動油をある程度暖気することができる。しかしながら、寒冷地ではプラント起動前の作動油温度はかなり低いため、作動油の粘度が高く、流体ポンプ９の保護の観点からポンプを駆動することができない。そこで、起動前に暖気を行えるよう、シリンダ５外周面に設置したヒータ２０（電熱線を含む）により作動油の粘性が十分に低下する使用温度までヒーティングする。
【００７７】
また、必ずしも設ける必要はないが、直接にシリンダ５内の作動油をヒーティングするのではなく間接的にヒーティングするヒーティング室２１を設けてもよい。ヒーティング室２１は、例えば脂肪酸エステル油を充満したものであり、ヒータ２０の熱を脂肪酸エステル油を介して間接的にシリンダ５内の作動油に伝達する。ヒーティング室２１は、高圧であるシリンダ５内に直接配置したものではないため、油漏れに対する心配がなく、信頼性を向上させることができる。
【００７８】
一方で、ヒーティング室２１を設けずに、上述したヒータ２０をシリンダ５の外周面に直接設置してもよく、また、流体ポンプ９近傍の配管に直接設置してもよい。このようにすると、伝熱の損失を抑えて効率を高めることができる。
【００７９】
なお、温暖地に配置されるプラントについては、モータ１０にファンを設置してもよく、また、シリンダ５の外周面にファンを設置してもよい。
【００８０】
ところで、蒸気タービン弁駆動装置は、各蒸気タービン弁１に一体的に設置できるため、従来は必要とされていた長い給廃油配管、タンクが不要となり、かなりの小形化が可能となる。上述したヒータ２０やヒーティング室２１を設置した場合でも、従来よりも装置全体を小型化することが可能となる。
【００８１】
また、非常時に動作する急速作動電磁弁８が蒸気圧力に打ち勝つ十分な駆動力を発揮して優れた急閉特性を有するようにするため、油送系統７の作動油を高圧油圧とすることが望ましい。高圧油圧を適用することにより、シリンダ５の容量を少なくでき、更なる小形化が可能となり、ヒータ２０やヒーティング室２１によるヒーティングの効率を向上させることが可能となる。
【００８２】
なお、油送系統７は密閉された閉油圧回路が形成されており、作動油漏洩のリスクが極めて低いため、油送系統７の作動油を低圧油圧にして使用する場合は、可燃性作動油であるタービン油を使用してもよい。
【００８３】
本実施形態によれば、寒冷地など、気温が低い状況においても、起動前の作動油の粘性を十分に低下させることができ、プラントの安定した起動および運転を実現することができる。
【００８４】
（第７の実施形態）
図８は、第７の実施形態に係る蒸気タービン弁駆動装置の構成の例を示す図である。なお、以下では、図１と共通する要素には同一の符号を付し、重複する説明を省略する。
【００８５】
第７の実施形態が第１の実施形態と異なる点は、油送系統７が、流体ポンプ９をバイパスする２つの流路として、流量を制限しつつ作動油を一方向に通過させるバイパス絞り流路１４ａと、流量を制限しつつ作動油をバイパス絞り流路１４ａとは逆の方向に通過させるバイパス絞り流路１４ｂとを備えている点である。
【００８６】
一般に、油圧回路においては、長期利用により発生するスラッジ（作動油の炭化物）が流体ポンプ及び電磁弁油路に入ることにより機器性能に大きな影響を与える。スラッジはフィルタの静電気による火花現象や流体ポンプの加圧過程の断熱圧縮、オリフィス等の圧力損失による放熱により作動油が炭化することで発生する。そこで、このようなスラッジを除去するため、本実施形態では、作動油の流れの向きが互いに異なるバイパス絞り油路１４ａ，１４ｂを設ける。バイパス絞り流路１４ａ，１４ｂは、それぞれフィルタ１５ａ，１５ｂを備えている。
【００８７】
フィルタ１５ａ，１５ｂは、メンテナンスを可能とするため、各フィルタの前後に止め弁１６ａ，１６ｂを備えている。さらに空気抜き用のエア抜き弁を備えれば、より安全に容易にメンテナンスを行うことができる。
【００８８】
本実施形態によれば、作動油の清浄度を常に高く維持することができるため、高い清浄度の維持が必要な燐酸エステル油を作動油として使用することができる。
【００８９】
（第８の実施形態）
図９は、第８の実施形態に係る蒸気タービン弁駆動装置の構成の例を示す図である。なお、以下では、図１と共通する要素には同一の符号を付し、重複する説明を省略する。
【００９０】
第８の実施形態が第１の実施形態と異なる点は、急速作動電磁弁８を有する非常用油路７ｂが設置されていない点である。
【００９１】
蒸気タービン弁１の種類によっては、非常時の急閉動作時に急速作動電磁弁８による高速な閉動作を必要とせず、流体ポンプ９の駆動による閉弁速度で十分なものがある。そのような場合は、急速作動電磁弁８を有する非常用油路７ｂが設置されていない蒸気タービン弁駆動装置を採用してもよい。
【００９２】
このような構成において、制御装置１１がモータ１０に全閉指令を発すると、モータ１０は流体ポンプ９を全閉位置まで全閉させ、閉方向に付勢するスプリング機構４により全閉状態を実現する。リセット動作時は、図示しない保護回路からのリセット指令により、モータ１０が駆動許可状態にされる。
【００９３】
本実施形態によれば、急速作動電磁弁８を備えた非常用油路７ｂを有さない簡易な構成の蒸気タービン弁駆動装置を実現することができる。
【００９４】
（第９の実施形態）
図１０は、第９の実施形態に係る蒸気タービン弁駆動装置の構成の例を示す図である。なお、以下では、図１と共通する要素には同一の符号を付し、重複する説明を省略する。
【００９５】
第９の実施形態が第１の実施形態と異なる点は、バイパス絞り流路７ａが設置されていない点である。
【００９６】
バイパス絞り流路７ａが無くても流体ポンプ９の駆動で所望の流量の作動油の流れを形成できるのであれば、バイパス絞り流路７ａの設置を省略することが可能である。
【００９７】
本実施形態によれば、バイパス絞り流路７ａを有さない簡易な構成の蒸気タービン弁駆動装置を実現することができる。
【００９８】
（第１０の実施形態）
図１１は、第１０の実施形態に係る蒸気タービン弁駆動装置の構成の例を示す図である。なお、以下では、図１と共通する要素には同一の符号を付し、重複する説明を省略する。
【００９９】
第１０の実施形態が第１の実施形態と異なる点は、スプリング機構４が設置されていない点である。
【０１００】
例えば加減弁のように、当該加減弁の上流に必ず止め弁が備えられているものは、全閉状態を維持する必要がない。その場合、蒸気力により全閉方向への閉鎖力が働くため、スプリング機構で全閉を保持する必要がない。そのため、蒸気タービン弁駆動装置からスプリング機構を除することができる。
【０１０１】
シリンダ下部室５ａとシリンダ上部室５ｂとの圧力差は、図示しない圧力計で当該圧力差を計測しつつモータ１０の駆動軸をトルク制御することによって適正に調整できる。これにより、スプリング機構４が無くても、弁位置制御を円滑に行うことができる。
【０１０２】
また、他の例として、止め弁をレバー機構で加減弁と連動動作させる形態があるが、その場合においても加減弁ではスプリング機構を除することができる。
【０１０３】
本実施形態によれば、スプリング機構４を有さない簡易な構成の蒸気タービン弁駆動装置を実現することができる。
【０１０４】
以上詳述したように、各実施形態によれば、簡易な構成で安定した動作を実現できる蒸気タービン弁駆動装置を提供することができる。
【０１０５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０６】
１…蒸気タービン弁、１ａ…弁体、１ｂ…弁座、１ｃ…バックシート、２…弁棒、２ａ…弁棒止め部、３…カップリング、４…スプリング機構、４ａ…スプリングハウジング、５…シリンダ、５ａ…シリンダ下部室、５ｂ…シリンダ上部室、５ｃ…ピストン、５ｄ…ピストンロッド、６…開度検出器、７…油送系統、７ａ…バイパス絞り油路、７ｂ…非常用油路、７ｃ…流体ポンプ油路、７ｄ…ピストン連通孔、７’…非常用油路、８…急速作動電磁弁、９…流体ポンプ、１０…モータ、１１…制御装置、１２ａ…ダッシュポットピストン、１２ｂ…ダッシュポットピストン室、１２…ダッシュポット機構、１３…リミットスイッチ装置、１３ａ…全閉位置検出用リミットスイッチ、１３ｂ…全開位置検出用リミットスイッチ、１３ｃ…特定位置検出用リミットスイッチ、１３ｄ…全閉位置検出用部材、１３ｅ…全開位置検出用部材、１３ｆ…特定位置検出用部材、１４ａ，１４ｂ…バイパス絞り油路、１５ａ，１５ｂ…フィルタ、１６ａ，１６ｂ…止め弁、２０…ヒータ、２１…ヒーティング室、３０…プラグ止めピン、３１…Ｏ−リング、３２…ガスケット、３３…プラグ座、３４…ボルト、３５…ナット。
【図１】
0006640619.tif 000002
【図２】
0006640619.tif 000003
【図３】
0006640619.tif 000004
【図４】
0006640619.tif 000005
【図５】
0006640619.tif 000006
【図６】
0006640619.tif 000007
【図７】
0006640619.tif 000008
【図８】
0006640619.tif 000009
【図９】
0006640619.tif 000010
【図１０】
0006640619.tif 000011
【図１１】
0006640619.tif 000012
【図１２】
0006640619.tif 000013
【図１３】
0006640619.tif 000014
【図１４】
0006640619.tif 000015
【図１５】
0006640619.tif 000016